(57)【要約】【課題】再利用可能な部品を有効に活用し、かつ、新たな機能（ゲーム性）が導入された新機種に簡便に変更できる遊技装置を提供する。また、そのような遊技装置のセキュリティ機能を向上する。【解決手段】リール３５，３６，３７を備えるリール収容ケース１１０に、遊技制御基板５０をその内部に有する第１基板収容ケース１１５および演出制御基板７０をその内部に有する第２基板収容ケース１１６を配置する。そしてリール収容ケース１１０にはさらに第１接続端子１１８を備え、遊技装置のボディ部１００には第１接続端子１１８に適合する第１適合接続端子１２２を備える。リール収容ケース１１０がガイド部材１２０に導かれて装着されたとき、併せて第１接続端子１１８と第１適合接続端子１２２とが接続される構成とする。【選択図】　図４
2004073276.tif 000002
【特許請求の範囲】
【請求項１】
ボディ部材と、
周面に複数の識別図柄が配置され回転および停止を行う複数のリールと、
前記複数のリールを収容するリール収容ケースと、
前記リール収容ケースに配置された第１接続端子と、
前記第１接続端子に適合する適合接続端子であって前記ボディ部材に配置された第１適合接続端子と、を有し、
前記リール収容ケースを前記ボディ部材に装着することによって、前記第１接続端子と前記第１適合接続端子との接続が行われる遊技装置。
【請求項２】
単一の前記リールが、前記リールを回転する回転機構を含むその他の部品とともに単一リールユニットに構成され、
前記単一リールユニットに配置された第２接続端子と、
前記第２接続端子に適合する適合接続端子であって前記リール収容ケースに配置された前記単一リールユニット毎の第２適合接続端子と、を有し、
前記単一リールユニットを前記リール収容ケースに装着することによって、前記第２接続端子と前記第２適合接続端子との接続が行われる請求項１記載の遊技装置。
【請求項３】
前記リール収容ケースまたは前記単一リールユニットに、前記リールの回転面に平行な側面を覆うカバー部材またはカバー部を備える請求項１または２記載の遊技装置。
【請求項４】
前記ボディ部材に配置されたガイド部材を有し、
前記リール収容ケースの前記ボディ部材への装着は、前記ガイド部材によって導かれる第１方向に行われる請求項１、２または３記載の遊技装置。
【請求項５】
前記ボディ部材に適合し前記識別図柄を透視することが可能な窓部を備えたドア部材と、
前記第１方向とは異なる第２方向に前記リール収容ケースまたは前記単一リールユニットの移動が可能な移動機構と、
を有する請求項４記載の遊技装置。
【請求項６】
ボディ部材と、
周面に複数の識別図柄が配置され回転および停止を行う複数のリールと、
前記複数のリールを収容するリール収容ケースと、
前記リール収容ケースに配置された制御基板群と、
前記制御基板群に含まれる遊技制御基板と、
少なくとも前記遊技制御基板を覆う第１基板収容ケースと、
前記第１基板収容ケースと前記リール収容ケースとを固着する第１ロック機構または固着された前記第１基板収容ケースと前記リール収容ケースとの分離履歴を検知できる第１分離検知機構と、
前記リール収容ケースと前記ボディ部材とを固着する第２ロック機構または固着された前記リール収容ケースと前記ボディ部材との分離履歴を検知できる第２分離検知機構と、
を有する遊技装置。
【請求項７】
前記制御基板群に含まれる前記遊技制御基板以外の制御基板を覆う第２基板収容ケースを有し、
前記第１基板収容ケースには第３接続端子を備え、前記第２基板収容ケースには前記第３接続端子に適合する第３適合接続端子を備え、
前記第１基板収容ケースおよび前記第２基板収容ケースが前記リール収容ケースに装着されている状態で、前記第３接続端子と前記第３適合接続端子とが接続されている請求項６記載の遊技装置。
【請求項８】
前記制御基板群に含まれる前記遊技制御基板以外の制御基板を覆う第２基板収容ケースと、
前記第１基板収容ケース内の基板と前記第２基板収容ケース内の基板とを接続するケーブルと、
前記ケーブルを覆うケーブルケースと、
を有する請求項６記載の遊技装置。
【請求項９】
前記第２基板収容ケースと前記リール収容ケースとを固着する第３ロック機構または固着された前記第２基板収容ケースと前記リール収容ケースとの分離履歴を検知できる第３分離検知機構を有する請求項７または８記載の遊技装置。
【請求項１０】
ボディ部材と、
周面に複数の識別図柄が配置され回転および停止を行う複数のリールと、
前記複数のリールを収容するリール収容ケースと、
前記リール収容ケースに配置された制御基板群と、
前記ボディ部材に適合し前記識別図柄を透視することが可能な窓部を備えたドア部材と、
前記ドア部材に配置された出力装置と、
前記制御基板群に含まれる出力制御基板であって前記出力装置を制御するための出力制御基板と、
を有する遊技装置。
【請求項１１】
前記出力装置が画像表示装置であり、前記出力制御基板が前記画像表示装置の画像表示を制御する表示制御基板である第１の構成、
前記出力装置がスピーカであり、前記出力制御基板が前記スピーカの音声出力を制御する音声制御基板である第２の構成、または、
前記出力装置が発光装置であり、前記出力制御基板が前記発光装置の発光を制御する発光制御基板である第３の構成、
の何れかの構成を有する請求項１０記載の遊技装置。
【請求項１２】
ボディ部材と、
周面に複数の識別図柄が配置され回転および停止を行う複数のリールと、
前記複数のリールを収容するリール収容ケースと、
前記リール収容ケースに配置され第１記録領域を有する記録装置基板と、
前記リール収容ケース以外の部材に配置され第２記録領域を含む制御基板群と、
前記第１記録領域に記録されたデータを前記第２記録領域に転送する手段と、
を有する遊技装置。
【請求項１３】
前記リール収容ケースに配置された第４接続端子と、
前記ボディ部材に配置された第５接続端子と、を有し、
前記第４接続端子と前記第５接続端子とをケーブルで接続する構成、または、
前記第５接続端子を前記第４接続端子に適合する適合接続端子とし、前記リール収容ケースを前記ボディ部材に装着することによって、前記第４接続端子と前記第５接続端子との接続が行われる構成、
の何れかの構成を有する請求項６〜１２の何れか一項に記載の遊技装置。
【請求項１４】
単一の前記リールが、前記リールを回転する回転機構を含むその他の部品とともに単一リールユニットに構成され、
前記単一リールユニットに配置された第２接続端子と、
前記第２接続端子に適合する適合接続端子であって前記リール収容ケースに配置された前記単一リールユニット毎の第２適合接続端子と、を有し、
前記単一リールユニットを前記リール収容ケースに装着することによって、前記第２接続端子と前記第２適合接続端子との接続が行われる請求項１３記載の遊技装置。
【請求項１５】
前記リール収容ケースまたは前記単一リールユニットに、前記リールの回転面に平行な側面を覆うカバー部材またはカバー部を備える請求項１３または１４記載の遊技装置。
【請求項１６】
前記ボディ部材に配置されたガイド部材を有し、
前記リール収容ケースの前記ボディ部材への装着は、前記ガイド部材によって導かれる第１方向に行われる請求項１３、１４または１５記載の遊技装置。
【請求項１７】
前記ボディ部材に適合し前記識別図柄を透視することが可能な窓部を備えたドア部材と、
前記第１方向とは異なる第２方向に前記リール収容ケースまたは前記単一リールユニットの移動が可能な移動機構と、
を有する請求項１６記載の遊技装置。
【発明の詳細な説明】
【０００１】
【発明の属する技術分野】
本発明はスロットマシン等の遊技装置に関する。特に遊技装置の仕様変更に容易に対応するとこができ、部品の再利用を可能とする遊技装置に適用して有効な技術に関する。
【０００２】
【従来の技術】
いわゆるパチスロと称される遊技装置（スロットマシン、回胴式遊技装置あるいはリール式遊技装置と称される場合がある）は、一般に、箱型のボディ部および前面を構成するドア部からなる装置容器（筐体）と、それらボディ部あるいはドア部に配置される各種部品とによって構成される。ボディ部には一般に、電源・モード設定装置、メダル払出装置、溢れメダル受け容器、リールユニット、遊技制御基板、演出制御基板等が配置され、ドア部には一般に、演出用の発光装置、画像表示装置およびスピーカ、遊技者が操作するベットボタン、スタートレバーおよびストップボタン、各種カウンタの値を表示する表示手段、メダル導入路、パネル、パネルバックライト、メダル受け皿等が配置される。また、ドア部にはボディ部に備えたリールの識別図柄を透視できる窓部を備える。周知のとおり遊技装置で実現する遊技は主に遊技制御基板で制御され、演出は主に演出制御基板で制御される。これら遊技あるいは演出の手順は各制御基板に備えたＲＯＭ（Ｒｅａｄ　Ｏｎｌｙ　Ｍｅｍｏｒｙ）にコンピュータプログラムとして記録される。また、ＲＯＭには、遊技あるいは演出に必要な各種データが記録される。
【０００３】
これら遊技装置には遊技者の遊興心に訴えるゲーム要素が要求されるため、常に新しいゲーム形態が考案され続けている。遊技者の移り易い嗜好を勘案すれば、常に新しいゲーム性を提供して遊技者を惹き付ける必要があり、勢い比較的短いサイクルで新機種が投入される場合が多くなる。新機種が投入される場合には新たに製造が行われ、旧機種については中古市場に売却あるいは廃棄処分されるのが一般的である。
【０００４】
しかし、資源の有効利用あるいは環境への配慮の観点からすれば、旧機種を廃棄処分にすることは好ましくない。また、中古市場に売却する場合であっても何れは廃棄処分にされるのであり、有効に再利用可能な部品（資源）が廃棄されてしまうことに変わりはない。
【０００５】
そこで、遊技装置を、新機種においてもそのまま利用できる旧機種の部分と、新機種に変更するに伴って取り替える必要のある部分とに分離し、分離型の遊技装置を構成する手段が提案されている。すなわち、電源・モード設定装置、メダル払出装置、溢れメダル受け容器、スピーカの一部、ベットボタン、スタートレバー、ストップボタン等の操作部品、カウンタ等の表示手段、メダル導入路、パネルバックライト、メダル受け皿等、新機種においてもそのまま利用可能な部品を装置筐体に備え、一方、リールユニット、遊技制御基板、演出制御基板、演出用の発光装置、画像表示装置、スピーカの一部をメインユニットとして構成する。このメインユニットを新機種に対応させ、筐体にセットすることによって新しいゲーム性を備えた新機種とする。つまり新機種の導入はこのメインユニットを取り替えることによって実現できる。これにより、遊技装置の全部を廃棄する必要が無く、また、導入時の交換作業が楽になるメリットがあるとされる。
【０００６】
【発明が解決しようとする課題】
しかし、従来の分離型遊技装置には以下のような問題がある。第１に、従来の分離型遊技装置では資源（再利用可能な部品）の活用が徹底されていない問題がある。新たなゲーム性を付加することやゲーム性を変更することによる新機種の実現は、そのゲーム性を実現するハードウェア構成を変更する必要がない場合には、究極的にはソフトウェアおよび付随するデータの変更によって対応が可能である。尤も、ゲーム性の変更には通常リール制御の変更が伴うため、実際にはソフトウェアおよびデータの変更に加えてリールに配置される図柄の並び（あるいは図柄自体）を変更する必要がある。このリールおよびソフトウェア（データを含む）の変更をしさえすれば、同一のハードウェア構成であっても多種多様なゲーム性の変更が可能であり、新機種に相当する変更をも提供できる。ところが、従来の分離型遊技装置のメインユニットには、演出処理を実現する発光装置、画像表示装置、スピーカ等、いまだ再利用可能な部品が含まれ、資源再利用の考えが徹底されていない問題がある。特に液晶表示装置等で構成される画像表示装置は他の部品に比較して高価であり、再利用の要請が強い。
【０００７】
第２に、従来の分離型遊技装置では、筐体部分とメインユニットとの電気的な接続がハーネスと称される接続ケーブルによって行われている。このような接続ケーブルの介在は新機種への変更作業の際の工数を増加させ、また作業手順を複雑にする問題がある。
【０００８】
第３に、新機種の変更にかかる部分をリールおよびソフトウェアに集約し、この集約された部分を取り外し可能とする構成の場合には、このような取り外し可能な部品が不正行為の対象になり易い問題がある。つまり、不正行為の多くは不正にソフトウェアを改変することや改変されたソフトウェアを含む部品を正規部品と置き換えることによって実行されるところ、このような変更部分を集約した部品が不正行為対象として狙われる可能性がある。よって十分なセキュリティ対策によって不正行為を防止する手段を用意する必要がある。
【０００９】
本発明の目的は、再利用可能な部品を有効に活用し、かつ、簡便に遊技装置を新たな機能（ゲーム性）が導入された新機種に変更する技術を提供することにある。また、本発明の他の目的は、そのような遊技装置のセキュリティ機能を向上できる技術を提供することにある。
【００１０】
【課題を解決するための手段】
本発明の構成を説明するに先立ち、本明細書で用いる用語の説明を以下に述べる。明示的に他の定義を付した場合を除き、原則として本明細書で用いる用語は以下に定義する意味に用いることとする。
【００１１】
「役」とは、図柄の組み合わせのうち遊技価値を与えるものをいう。たとえば「赤７役」、「プラム役」、「ベル役」、「リプレイ役」などがある。
【００１２】
「賞群」とは、１つ若しくは複数の役の集まり又は役となる特定図柄の組み合わせ以外の役とは異なる遊技価値を与える複数の図柄組み合わせの集まりをいう。１つの役からなる賞群の場合は、形式的に役と賞群とは一致する。賞群の名称には、たとえば「ＢＢ賞」、「ＲＢ賞」、「小役賞１（又はスイカ賞）」、「小役賞２（又はベル賞）」、「小役賞３（又はチェリー賞）」、「リプレイ賞（再遊技賞）などがある。なお、役（特定図柄組み合わせ）がないにも拘わらず、遊技価値を得ることができる図柄の組み合わせがある場合には、これも賞群に含まれる。
【００１３】
「遊技価値」とは、遊技者が得る価値をいう。賞群又は役によって定まる遊技価値には配当、高当選通常ゲームへの移行および再遊技等がある。
【００１４】
「乱数抽出」とは、数列発生器から発生する複数の数値の中から１つの数値をサンプリングするまでのことをいう。
【００１５】
「賞群抽選テーブル」とは、複数の賞群毎に定められている数値の幅（抽選区分）の集まりをいう。なお、ゲーム状態（通常ゲーム、高当選通常ゲーム、ジャックゲームおよびＣＴゲームなど）で賞群抽選テーブルが異なってもよいため、数値の幅には０を含む。
【００１６】
「内部抽選」とは、乱数抽出の結果サンプリングされた数値と賞群抽選テーブルを用いて当選又はハズレを決定することをいう。
【００１７】
「当選」とは、いずれかの賞群に応じて入賞する権利が発生することをいう。
【００１８】
「入賞する権利」とは、内部抽選の結果与えられる入賞の前提となる権利である。入賞する権利は、回転するリールを停止させ、入賞ライン上に役を構成する図柄を揃えることによって、入賞に転換する。入賞する権利は、賞群ごとに与えられる。入賞する権利には、次回ゲームに持ち越すことが可能な入賞する権利と、持ち越すことができない入賞する権利が含まれる。
【００１９】
「ハズレ」とは、入賞する権利が発生しないことをいう。
【００２０】
「当選持越し状態」とは、前回以前のゲームにおいて持ち越した入賞する権利が存在する状態をいう。たとえば当選フラグによって抽選の結果を制御する場合、入賞する権利の持ち越しは、当選フラグをクリアしないことにより実現される。この場合、当選持越し状態とは、次回ゲームの内部抽選に関わらず当該賞群の当選フラグが立っている（対応するビットが真）状態をいう。
【００２１】
「入賞」とは、内部抽選によって当選した後、有効な入賞ライン上に役が揃うことをいう。
【００２２】
「当選フラグ」とは、当選の結果発生した「入賞する権利」を記憶したデータをいう。
【００２３】
「当選フラグの持ち越し」とは、当選したにも拘わらず入賞しなかったゲームのフラグが次のゲームでも消去されていないことをいう。
【００２４】
「ベット操作」とは、遊技価値によって入賞ラインを有効化する操作をいう。ベット操作には、遊技価値媒体（例えばメダル）を遊技装置に供給する（たとえばメダル投入口からメダルを投入する）方法、クレジットされている遊技価値媒体を機械操作で供給する（たとえばクレジットされているメダルをベットボタンで供給する）方法および両方法を併用する方法がある。再遊技賞で始まるゲームでのベット操作は、前ゲームで有効化された入賞ラインと同じ入賞ラインが自動的に有効化されることで行われる。
【００２５】
「ゲーム」とは、ベット操作から次のベット操作が可能になるまでの期間の１回の遊技又はその遊技の繰り返しをいう。
【００２６】
「通常ゲーム」とは、内部抽選によって複数の賞群およびハズレのいずれかが抽選されるゲームをいう。
【００２７】
「高当選通常ゲーム」とは、当選確率が通常ゲームより高い通常ゲームをいう。
【００２８】
「ジャックゲーム」とは、内部抽選によって１の賞群かハズレのいずれかが抽選されるゲームをいう。
【００２９】
「ＣＴゲーム」とは、停止操作のみで少なくとも１つのリールを停止して、特定の賞群の中における役の入賞の有無を決めるゲームをいう。
【００３０】
「報知ゲーム」とは、当選した特定の賞群に関連した情報を常に遊技者に報知するゲームをいう。
【００３１】
「再遊技当選高確率ゲーム」とは、ハズレをなくすあるいは少なくするかわりに再遊技（リプレイ）賞の当選確率を高くしたゲームをいう。なお本明細書において、再遊技当選高確率ゲームをリプレイゲームあるいはストックゲームと称する場合がある。また、再遊技当選高確率ゲームが行われる期間をリプレイタイムあるいはストックタイムと称する場合がある。
【００３２】
「遊技」とは、一般に許可営業の娯楽を指すが、より一般的な娯楽の意味の遊戯をも遊技に含めることとする。
【００３３】
以下、本発明の構成その他を説明する。前記課題を解決するため、本発明は以下のような構成を有する。すなわち、本明細書で開示する第１発明の遊技装置は、ボディ部材と、周面に複数の識別図柄が配置され回転および停止を行う複数のリールと、前記複数のリールを収容するリール収容ケースと、前記リール収容ケースに配置された第１接続端子と、前記第１接続端子に適合する適合接続端子であって前記ボディ部材に配置された第１適合接続端子と、を有し、前記リール収容ケースを前記ボディ部材に装着することによって、前記第１接続端子と前記第１適合接続端子との接続が行われる。
【００３４】
本第１発明の遊技装置では、リール収容ケースのボディ部材への装着と同時に第１接続端子と第１適合接続端子との接続が行われる所謂「プラグイン構造」を適用する。このため、リール収容ケースの交換作業が簡便になり、新機種導入の際の作業効率を向上させることができる。ところで、特に限定しないが、制御基板等新機種導入の際に取り替えるべき部品をリール収容ケースに備えると、リール収容ケースの交換のみによって新機種の導入を実現することが可能になる。また、本発明の遊技装置では、リール収容ケースとボディ部との接続がハーネスを介さず第１接続端子と第１適合接続端子とによって行われる。このため不正行為を目的としたハーネスの改造あるいは正規ハーネスを不正に改造したハーネスに取り替える等の不正行為を働き得ず、不正行為に対する安全性の高い遊技装置を提供できる。
【００３５】
ここで、「ボディ部材」とはドア部材とともに遊技装置の筐体を構成する遊技装置の一部分であり、リール収容ケース、電源・モード設定装置、メダル払出装置、溢れメダル受け容器等が配置される収容容器である。「ドア部材」はボディ部材に適合する筐体の一部品である。ボディ部材とドア部材とによって筐体内部の閉空間を形成し、この空間内に多くの装置部品が配置される。「識別図柄」とは役を構成する図柄であり、たとえば「白７」「赤７」「ＢＡＲ」「スイカ」「プラム」「チェリー」等を例示できる。「リール」とは識別図柄がその周面に配置されている円筒形の回転体であり、スロットマシン（遊技装置）には通常３つのリールが備えられる。各リールにはリールを回転駆動するモータが備えられ、また識別図柄の番号を取得するためのセンサが備えられる。さらに演出等に必要な場合は、リール毎にリール内側からリール全体またはリール上の図柄を照射するバックライトが備えられる。
【００３６】
「リール収容ケース」は少なくとも３つのリールを一体として保持するための構造体である。必ずしも３つのリールの全体を覆う容器である必要はない。たとえばリールを収容する容器が６面体で構成される場合、外壁面を構成する６面の全部が開放されている骨組みのみの構造体もリール収容ケースの概念に含む。また、６面のうちの何れかの一面あるいは複数面が開放されている場合も勿論含む。さらに、６面の何れかの面が一部開放されている場合もある。ただしリール収容ケースが全て外壁で覆われる場合、遊技者がドア部材の窓を通して識別図柄を視認出来るよう該当する外壁は透明にする必要がある。リール収容ケースには、後に説明する第１接続端子が配置される。また、リール収容ケースには後に説明する制御基板群あるいは記憶装置を配置した基板が配置される場合もある。
【００３７】
「第１接続端子」は第１適合接続端子との間で電気的な接続を図るための端子である。「第１適合接続端子」は第１接続端子に適合する端子である。接続端子および適合接続端子はプラグおよびレセプタクルとて提供される一般的な接続端子を適用できる。実用的には、ピンタイプの接続端子や、カード型の接続端子を採用することが可能である。なお、「第１適合接続端子」はボディ部材に配置され、前記したとおりリール収容ケースのボディ部材への装着によって同時に第１接続端子と接続される。
【００３８】
「前記リール収容ケースを前記ボディ部材に装着することによって、前記第１接続端子と前記第１適合接続端子との接続が行われる」とは、リール収容ケースをボディ部材に装着する操作あるいは動作がすなわち第１接続端子と第１適合接続端子との接続操作あるいは動作になっている、という趣旨である。
【００３９】
本明細書で開示する第２発明の遊技装置は、前記第１発明の遊技装置において、単一の前記リールが前記リールを回転する回転機構を含むその他の部品とともに単一リールユニットに構成されるものであり、前記単一リールユニットに配置された第２接続端子と、前記第２接続端子に適合する適合接続端子であって前記リール収容ケースに配置された前記単一リールユニット毎の第２適合接続端子とを有し、前記単一リールユニットを前記リール収容ケースに装着することによって前記第２接続端子と前記第２適合接続端子との接続が行われる遊技装置である。
【００４０】
このような遊技装置によれば、リールおよびその回転機構等の部品を含めて単一リールのリールユニットを構成する。さらにこのリールユニットはリール収容ケースに所謂プラグインで装着することを可能とする。このためリール収容ケースへの装着が容易となり、製造段階での製造作業の能率を高めることが可能となる。また、各リールが単独で故障した場合には他のリールユニットを温存し故障したリールユニットについてのみ交換作業を行えばよい。この結果廃棄部品を削減することが可能となるとともに、修理作業の能率も高めることが可能となる。
【００４１】
ここで、「回転機構」はリールを回転駆動させる機構であり、たとえばステッピングモータを例示できる。なお、各々のリールユニットには、リールの図柄を識別あるいは特定するセンサを備えてもよい。このセンサはリールの特定位置（たとえば正面）に現在何れの識別図柄が位置するかを検出する。たとえば特定位置にあるマーカを光学式センサで検出し、検出時からのステッピングモータの移動ステップ数によって現在の図柄を判別する。あるいは、リールの図柄毎にバーコード等のマーカを配置し、このマーカを識別して現在の図柄を判別する。センサとしてプローブ部（光センサの場合発光部）とセンス部（光センサの場合受光部）に別れるものを用いる場合、プローブ部あるいはセンス部の一方をリールユニットに備え、他方をリール収容ケースに備えることもできる。単一リールユニットには、さらに、リール内側からリール上の図柄を照射するバックライトが含まれてもよい。単一リールユニットを構成する外形部材には、単一のリールおよびその他の部材が収容される必要があるが、前記リール収容ケースの場合と同様にその外壁が存在しても良く骨組みだけの構造体で構成されても良い。「第２接続端子」および「第２適合接続端子」は「第１接続端子」および「第１適合接続端子」の場合と同様である。「単一リールユニットをリール収容ケースに装着することによって第２接続端子と第２適合接続端子との接続が行われる」は、リール収容ケースがボディ部材に装着される場合と同様の趣旨である。
【００４２】
なお、前記第１および第２発明の遊技装置において、前記リール収容ケースまたは前記単一リールユニットに、前記リールの回転面に平行な側面を覆うカバー部材またはカバー部を備えることができる。このようなカバー部材あるいはカバー部を備えることにより、回転中のリールに触れることが構造上不可能になり、指挟み等の事故を防止して安全性を向上することが可能になる。通常、ドアを開いた状態でリールを回転することは無いが、メンテナンス等の場合にはリール収容ケースまたは単一リールユニットが露出された状態でリールを回転する場合もある。このような場合の安全性を向上したものである。なお、「カバー部材」とはリール収容ケースまたは単一リールユニットの外形構造体とは別に備えられる部材であり、「カバー部」とはリール収容ケースまたは単一リールユニットの外形構造体の一部である。
【００４３】
また、前記第１および第２発明の遊技装置並びにその変形発明において、前記ボディ部材に配置されたガイド部材を有することが出来る。そして、前記リール収容ケースの前記ボディ部材への装着は、前記ガイド部材によって導かれる第１方向に行われる。このようなガイド部材を備え、リール収容ケースをガイド部材に沿った第１方向に行うことによって、前記した第１接続端子が第１適合接続端子に接続するための位置合わせを容易に行うことが可能になる。
【００４４】
さらに、ガイド部材に加えて、前記第１方向とは異なる第２方向に前記リール収容ケースまたは前記単一リールユニットの移動が可能な移動機構を備えることができる。このような移動機構により、識別図柄の位置（つまりリールの位置）がドア部材に備えられた窓に対して適切な位置に位置合わせすることが可能になる。
【００４５】
本明細書で開示する第３発明の遊技装置は、ボディ部材と、周面に複数の識別図柄が配置され回転および停止を行う複数のリールと、前記複数のリールを収容するリール収容ケースと、前記リール収容ケースに配置された制御基板群と、前記制御基板群に含まれる遊技制御基板と、少なくとも前記遊技制御基板を覆う第１基板収容ケースと、前記第１基板収容ケースと前記リール収容ケースとを固着する第１ロック機構または固着された前記第１基板収容ケースと前記リール収容ケースとの分離履歴を検知できる第１分離検知機構と、前記リール収容ケースと前記ボディ部材とを固着する第２ロック機構または固着された前記リール収容ケースと前記ボディ部材との分離履歴を検知できる第２分離検知機構と、を有する。
【００４６】
本第３発明の遊技装置によれば、信頼性の高い不正防止あるいは抑止機構を導入できる。不正行為を働こうとする者は、制御基板群に含まれるデータの改変を目的として制御基板群に含まれる遊技制御基板や演出制御基板を不正に取り替えようと試みる場合がある。一方、本第３発明の遊技装置では、リール収容ケースに制御基板群を備え、新機種の導入の際にリール収容ケースを交換して容易に新機種への変更を可能にしようとする意図がある。このような意図はリール収容ケースを取り外し可能な構造とし、かつリール収容ケースの装着が容易な構造を採用する場合に最も効果的に達成することが可能である。しかし、このようなリール収容ケースの取り外しおよび装着の容易性は、リール収容ケースに不正対象の制御基板群を備えるため、不正を意図する者に不正行為の機会を与えかねないデメリットもある。そこで、本第３発明の遊技装置では、遊技制御プログラムや確率テーブル等のデータが記録されている記録装置を備える遊技制御基板をセキュリティ性のある第１基板収容ケースに収容し、この第１基板収容ケースをリール収容ケースに固着する。さらにリール収容ケースをボディ部材に固着する。このような２段階の固着手段（ロック機構）によって不正な部品の交換を防止することが可能となる。
【００４７】
なお、リール収容ケースの取り外しの利便性を考慮すれば、リール収容ケースとボディ部材とは不可逆的な固着手段ではなく可逆的な固着手段で固着し、分離履歴を検知できる分離検知機構を備えることが好ましい。分離検知機構を備えることによって、仮に不正な取り替えが行われた場合でも容易に取り替えを検知することが可能であり、不正行為を効果的に抑制することが可能になる。
【００４８】
ここで、「制御基板群」とは遊技制御基板あるいは演出制御基板等の制御基板を含む電子回路基板の集合である。制御基板群には単一の電子回路基板のみが含まれる場合を含む。「遊技制御基板」とはゲームの主要な処理をプログラムに従って制御する機能を持つ電子回路基板である。「演出制御基板」とは報知演出等の演出処理をプログラムに従って制御する機能を持つ電子回路基板である。各々の処理の手順を示すプログラムは各制御基板内の記憶装置に記録される。記憶装置にはＲＯＭを例示できる。
【００４９】
「第１基板収容ケース」は、その内部に遊技制御基板を収容する。第１基板収容ケースは、通常、基板を配置する下部ケースと基板を覆う上部ケースとで構成される。上部ケースは下部ケースに固着され、非破壊では下部ケースと上部ケースとが分離できないような固着手段を採用する。また、第１基板収容ケースは、リール収容ケースへの固着手段（第１ロック機構）を有する。「第１ロック機構」は非破壊では第１基板収容ケースとリール収容ケースとが分離できないような固着手段である。非破壊で分離できないような固着手段として、カシメネジによる固着、２頭ネジによる固着を例示できる。２頭ネジとは、工具に適合する第１頭と工具に適合しない第２頭とを有するネジである。固着時には工具に適合する第１頭を用いて固着し、固着後に第１頭を切断する。第２頭は工具に適合しないため一旦固着した後は容易に分離することができない。なお、第１ロック機構に代えて、第１基板収容ケースとリール収容ケースとを非破壊で分離できる固着手段（たとえば通常のネジ止め）により固着し、併せて第１分離検知機構を採用することが可能である。「第１分離検知機構」は、分離したことが明瞭に視認できる機構である。たとえば固着手段を覆う部材を設け、この部材を破格しなければ物理的に固着手段にアクセスできないような機構や剥がすと痕跡が残る形状の封印シールを例示できる。「第２ロック機構」あるいは「第２分離検知機構」はリール収容ケースとボディ部材との固着に関する機構である点を除き「第１ロック機構」あるいは「第１分離検知機構」と同様である。
【００５０】
第３発明の遊技装置において、演出制御基板等遊技制御基板以外の基板についても、遊技制御基板と同様にセキュリティの高い構造とすることができる。この際、各基板の接続にハーネスを用いず、接続端子のみで基板間の接続を行ってさらに高い耐不正行為性を実現できる。つまり、前記制御基板群に含まれる前記遊技制御基板以外の制御基板を覆う第２基板収容ケースを有し、前記第１基板収容ケースには第３接続端子を備え、前記第２基板収容ケースには前記第３接続端子に適合する第３適合接続端子を備え、前記第１基板収容ケースおよび前記第２基板収容ケースが前記リール収容ケースに装着されている状態で前記第３接続端子と前記第３適合接続端子とが接続されている遊技装置を構成できる。このような場合、第１基板収容ケースに含まれる制御基板と第２基板収容ケースに含まれる制御基板との接続にはハーネスを用いないため、正規のハーネスを不正に改造されたハーネスに交換する等の不正行為を働き得ない。この結果遊技装置の耐不正行為性を向上できる。ここで、「第２基板収容ケース」は第１基板収容ケースと同様である。「第３接続端子」および「第３適合接続端子」は第１接続端子および第１適合接続端子と同様である。
【００５１】
なお、上記に説明したハーネスを用いない構成は必ずしも採用する必要はない。制御基板群に含まれる遊技制御基板以外の制御基板を第２基板収容ケースで覆い、第１基板収容ケース内の基板と第２基板収容ケース内の基板とをケーブル（ハーネス）で接続し、このケーブルをケーブルケースで覆う構成によってもセキュリティはある程度確保できる。つまりハーネスの端子は各基板収容ケース内に収めることができ、かつハーネスをケーブルケースで覆うためハーネスの交換（不正行為）は容易には行いえず、不正行為を防止または抑制する効果は存在する。
【００５２】
また、第２基板収容ケースを用いる場合には、第１基板収容ケースの場合と同様なロック機構（第３ロック機構）あるいは分離を検知する機構（第３分離検知機構）を適用することができる。
【００５３】
本明細書で開示する第４発明の遊技装置は、ボディ部材と、周面に複数の識別図柄が配置され回転および停止を行う複数のリールと、前記複数のリールを収容するリール収容ケースと、前記リール収容ケースに配置された制御基板群と、前記ボディ部材に適合し前記識別図柄を透視することが可能な窓部を備えたドア部材と、前記ドア部材に配置された出力装置と、前記制御基板群に含まれる出力制御基板であって前記出力装置を制御するための出力制御基板と、を有する。出力装置としては、画像表示装置、スピーカ、発光装置を例示できる。これら出力装置ごとの出力制御基板としては、各々、画像表示を制御する表示制御基板、音声出力を制御する音声制御基板、発光を制御する発光制御基板を例示できる。すなわち、本第４発明の遊技装置では、出力に係るデバイスを出力装置とその制御基板に分け、リール収容ケースに出力制御基板を備え、出力装置は遊技装置本体（筐体部分）に備える。これにより、出力装置を再利用可能な部品として活用するとともに、単なるソフトウェアのみでは対応不可能な変更（つまりハードウェアの一部に設計変更を要する変更）にも対処可能な遊技装置を提供できる。
【００５４】
本明細書で開示する第５発明の遊技装置は、ボディ部材と、周面に複数の識別図柄が配置され回転および停止を行う複数のリールと、前記複数のリールを収容するリール収容ケースと、前記リール収容ケースに配置され第１記録領域を有する記録装置基板と、前記リール収容ケース以外の部材に配置され第２記録領域を含む制御基板群と、前記第１記録領域に記録されたデータを前記第２記録領域に転送する手段と、を有する。つまり、本第５発明の遊技装置では、交換対象のリール収容ケースにはソフトウェアの記録媒体である記録装置基板のみを備え、制御基板は装置本体（筐体部分）に配置する。このような構成によれば、ＣＰＵその他の計算機資源を含めて再利用が可能であり、ソフトウェア部分の新たな設計のみによって対処可能な変更に低コストかつ環境に配慮した形態で対応することが可能になる。なお、制御基板内のＣＰＵからバスを介して直接データをメモリ（記録装置）から読み出す方式はバスの総延長が長くなるため好ましくない。リール収容ケースに配置された記録装置（第１記録領域）から制御基板内にある記録装置（第２記録領域）にプログラムおよびデータをダウンロード（転送）した後、第２記録領域にあるプログラムに従って処理されることが好ましい。よって本遊技装置ではこのような方式を採用している。
【００５５】
なお、前記した第１および第２発明の遊技装置は、第３乃至第５発明の遊技装置にも適用することが可能である。ただし、この場合、リール収容ケースとボディ部材との接続に前記したプラグインを用いる必要はない。ハーネス（ケーブル）を用いて両者を接続することも可能である。
【００５６】
【発明の実施の形態】
以下、本発明の一実施形態を図面に基づいて詳細に説明する。ただし、本発明は多くの異なる態様で実施することが可能であり、本実施の形態の記載内容に限定して解釈すべきではない。なお、実施の形態の全体を通して同じ要素には同じ番号を付するものとする。
【００５７】
図１は、本発明の一実施の形態である遊技装置の一例を示した正面図である。液晶表示装置１は、遊技の演出を行う画像表示装置である。液晶表示装置１は、遊技中に画像を表示し、演出を行う。液晶表示装置１は、ＬＥＤ等の発光素子アレイで構成される画像表示装置あるいはブラウン管に置き換えることが可能である。また、液晶表示装置に代えてダイスあるいはランプ等の演出機構を用いることも可能である。ランプ２は、ボーナスゲーム表示器であり、ＢＢ賞あるいはＲＢ賞に入賞した場合に点灯する表示器である。スピーカ３、４および３２は、遊技内容に合わせて各種の効果音を発生する。
【００５８】
リール（回胴）３５、３６および３７は、円周方向に役を構成する複数の図柄が表示されている。リール機構については後に詳述する。遊技装置には、各リールに対応して窓が形成され、リール上の図柄を装置外部に表示するための表示装置が構成されている。各窓からは、各リールにおいて同時に３つの図柄が装置外部から見えるようになっている。各リールに対応して３つのストップボタン２８が配置されている。各リールは、それぞれのリールに対応するストップボタンが押下されることを契機として、所定の手順に従って停止する。
【００５９】
遊技メダル投入表示ランプ７、８および９は、ベット操作によって遊技メダルが投入されたときに点灯する。メダル１枚投入の場合は、１メダルランプ７が点灯し、同時にその右方向１本の入賞ラインが有効であることを示す。メダル２枚投入の場合は、１メダルランプ７および２メダルランプ８が点灯し、同時にその右方向３本の入賞ラインが有効であることを示す。メダル３枚投入の場合は、１メダルランプ７〜３メダルランプ９の全てが点灯し、同時にその右方向３本と斜め２本を加えた５本の入賞ラインが有効であることを示す。なお、有効化された入賞ラインの何れかに予め定められた図柄の組み合わせが揃うと入賞となり、入賞に応じた遊技価値の付与がなされる。
【００６０】
スタートランプ１０はスタートレバー２４が操作可能であることを示すランプである。リプレイ賞入賞表示ランプ１１、入賞表示ランプ１２、打ち止め表示ランプ１３、ＢＢゲーム中表示ランプ１４、ＲＢゲーム中表示ランプ１５は、各々、再遊技の作動、入賞、打ち止め、ＢＢゲーム制御の作動、ＲＢゲーム制御の作動を表示する。メダル投入可能表示ランプ１６は、遊技メダルの投入が可能であるときに点灯する。
【００６１】
ボタン１７、１８および２０はベットボタン（貯留遊技メダル投入ボタン）である。１枚ベットボタン１７、２枚ベットボタン１８、３枚ベットボタン２０の押下は、各々１枚、２枚、３枚の貯留（クレジット）された遊技メダルを投入しベットすることに対応する。クレジット精算ボタン１９は、貯留（クレジット）された遊技メダルを精算するときに押下する。遊技メダル返却ボタン２１は、投入された不良メダルが詰まったときに返却操作をするためのボタンである。
【００６２】
遊技メダル投入口２２は、遊技メダルを投入するための投入口である。ドアキー２３は打ち止め解除キーを兼用する。スタートレバー２４は、リール（回胴）の回転を始動するときに操作するレバーである。スタートレバーは、段階設定を行う場合の操作レバーを兼用する。クレジット枚数表示機２５、ボーナスカウント表示機２６、メダル配当表示機２７は、各々、遊技メダルの貯留枚数、ボーナス回数、遊技メダルの払出枚数を表示する。ストップボタン２８は、リールの回転を停止するときに押下するボタンである。左中右の各々のリールに対応した３つのストップボタン２８が配置されている。遊技メダル払出口３３は遊技メダルの払出のための出口であり、払い出されたメダルは受け皿３４で受ける。
【００６３】
図２は、本実施の形態の遊技装置の構造を、その機能について示したブロック図である。図２に例示する遊技装置は、遊技制御基板５０、演出制御基板７０を含んでいる。
【００６４】
遊技制御基板５０は、ＣＰＵ（ｃｅｎｔｒａｌ　ｐｒｏｃｅｓｓｉｎｇ　ｕｎｉｔ）５１、入力ポート５２、クロック発生回路５３、ＲＯＭ（ｒｅａｄ　ｏｎｌｙ　ｍｅｍｏｒｙ）５４、ＲＡＭ（ｒａｎｄｏｍ　ａｃｃｅｓｓ　ｍｅｍｏｒｙ）５５、乱数発生回路５６、出力ポート５７および５８、データ送出回路５９、送出タイミング制御回路６０を含む。
【００６５】
ＣＰＵ５１は各種データの送受信を制御し、また演算を行う。入力ポート５２は外部からの入力データを受け取るポートである。入力ポート５２に入力されるデータは、遊技者のボタンあるいはレバー操作により入力されるデータ、管理者のボタンあるいはスイッチ操作により入力されるデータ、各種センサからのデータがある。遊技者操作のボタン操作あるいはレバー操作により入力されるデータは、１枚ベットボタン１７、２枚ベットボタン１８および３枚ベットボタン２０からのボタン押下検知データ、スタートレバー２４の操作検知データ、ストップボタン２８の押下検知データ、クレジット精算ボタン１９の押下検知データがある。管理者操作のボタン操作あるいはスイッチ操作により入力されるデータは、段階設定キースイッチ８２のスイッチデータ、リセットスイッチ６１のスイッチデータがある。各種センサからのデータには、メダル投入センサ６２、メダル払出センサ６３、メダル満杯センサ６４、各リールの位置検出センサ６５、ドアセンサ６６からのセンサデータがある。各センサは、各々のセンサに対応するイベントの発生あるいは状態の変化を検出する。クロック発生回路５３は、ＣＰＵ５１の動作タイミングをとるクロック信号を発生する。
【００６６】
ＲＯＭ５４には、装置の制御プログラム、賞群抽選テーブル、リール停止データ群等の各種データが記録されている。賞群抽選テーブルは、内部抽選の際に参照され、通常ゲーム用の賞群抽選テーブル、ＢＢゲーム用の賞群抽選テーブル、ＲＢゲーム用の賞群抽選テーブル等ゲーム態様に応じたテーブルが用意される。リール停止データ群は、リールの停止操作の際に参照されるリール停止制御テーブルの集まりである。リール停止制御テーブルは、リール毎に用意され、それぞれ当選フラグ（ハズレフラグを含む）に対応したテーブルを含む。これらＲＯＭ５４に記録されているデータは、ＣＰＵ５１より読み出されて実行あるいは参照される。
【００６７】
ＲＡＭ５５は、当選フラグやデータのワークエリアに使用される。乱数発生回路５６は、内部抽選その他の抽選を行う際に利用する乱数を発生する。乱数発生回路５６は、抽選を行う際に使用する数列を発生する数列発生器として機能する。例えば、乱数発生器５６は０〜９９９９９までの数値をランダムに排出する。抽選は、この数値の一つを抽出し、それを所定の抽選テーブルに当てはめることで行われる。
【００６８】
出力ポート５７は、左中右の各リール駆動モータ６７への制御信号、メダル払出モータ６８への制御信号、メダルブロッカソレノイド６９への制御信号を出力する。
【００６９】
出力ポート５８は、各種ランプおよび表示機への出力データを出力する。すなわち、１メダルランプ７、２メダルランプ８、３メダルランプ９、スタートランプ１０、リプレイ賞入賞表示ランプ１１、入賞表示ランプ１２、打ち止め表示ランプ１３、ＢＢゲーム中表示ランプ１４、ＲＢゲーム中表示ランプ１５、メダル投入可能表示ランプ１６、クレジット枚数表示機２５、ボーナスカウント表示機２６、メダル配当表示機２７へのランプ点灯信号あるいは表示信号を出力する。
【００７０】
データ送出回路５９は、演出制御基板７０に送信するデータを送信する回路である。送出タイミング制御回路６０は、データ送出回路５９の送信タイミングを制御する回路である。
【００７１】
演出制御基板７０は、遊技演出を制御する機能を有する。遊技演出は、液晶表示装置１およびスピーカ３、４および３２、さらにランプ２から行われる。演出制御基板７０は、ＣＰＵ７２、液晶表示装置駆動回路７３、画像・プログラムＲＯＭ７４、データ入力回路７５、クロック発生回路７６、ランプ駆動回路７７、ＲＡＭ７８、サウンドＬＳＩ（ｌａｒｇｅ　ｓｃａｌｅ　ｉｎｔｅｇｒａｔｅｄ　ｃｉｒｃｕｉｔ）７９、アンプ回路８０、音声ＲＯＭ８１、を含む。
【００７２】
ＣＰＵ７２は、演出制御基板７０の機能を統括制御するもので、各種信号やデータの制御および演算を行う。液晶表示装置駆動回路７３は、ＣＰＵ７２からの指示に従い液晶表示装置１を駆動する機能を有する。画像・プログラムＲＯＭ７４は、液晶表示装置で表示する画像およびその制御プログラムを記録する。データ入力回路７５は、遊技制御基板から送られてくるデータを受け取る回路である。クロック発生回路７６は、ＣＰＵ７２の動作タイミングをとるクロック信号を発生する。ランプ駆動回路７７は、演出用のランプ２を駆動する。ＲＡＭ７８はデータワークエリアとして使用される。サウンドＬＳＩ７９は、音響データを制御し演算を行い、演出処理用の音響信号を生成する。アンプ回路８０は、サウンドＬＳＩ７９で生成された音響信号を増幅する。増幅された音響信号は、音量調節回路８５で音量が調節され、スピーカ３、４および３２から演出音として出力される。音声ＲＯＭ８１には音声、演出効果のための音源その他の音源データが記録される。なお、演出制御基板７０には乱数発生回路を備えてもよい。
【００７３】
図３は本実施の形態の遊技装置内部の概要を示した斜視図である。遊技装置のボディ部１００の内部には、リール収容ケース１１０、電源・モード設定装置１５０、メダル払出装置１６０が備えられる。また、図示はしないがメダル払出装置１６０に貯留されているメダルが満杯になった場合の溢れメダルを受ける容器が備えられる。
【００７４】
図４はリール収容ケース１１０と、それが取り外されている場合のボディ部１００の一例を示した斜視図である。リール収容ケース１１０は同図の一点鎖線に沿う方向（第１方向）に挿入されてボディ部１００に装着される。
【００７５】
リール収容ケース１１０には外壁部材１１１を有し、その内部にリール３５，３６，３７が配置される。各々のリールにはモータ１１２、図柄センサ１１３が備えられる。また、各々のリールにはバックライト１１４が配置される。なお、リール収容ケース１１０の側面やリール収容ケース１１０から突出しているリール側面をカバーで覆っても良い。このようなカバーを設けることにより、リールが回転しているときの安全性を高めることができる。
【００７６】
リール収容ケース１１０の上部には、遊技制御基板５０をその内部に有する第１基板収容ケース１１５が配置される。リール収容ケース１１０の側面には、演出制御基板７０をその内部に有する第２基板収容ケース１１６が配置される。
第１基板収容ケース１１５および第２基板収容ケース１１６は、リール収容ケース１１０に不可逆的な固着手段により固着される。固着手段としてはたとえばカシメネジ、２頭ネジ等を例示できる。このような不可逆的な固着手段によって第１基板収容ケース１１５と第２基板収容ケース１１６とをリール収容ケース１１０に固着するため、遊技制御基板５０または演出制御基板７０の容易な取り外しが困難となり不正行為を防止または抑制することができる。なお、不可逆的な固着手段は、取り外したことが視認できる分離検知機構に置き換えることが可能である。分離検知機構としては一般的なネジ等の固着手段をカバー等で覆い、このカバーを破壊しなければ固着手段（ネジ）にアクセスできないような機構や剥がすと痕跡が残る形状の封印シールを例示できる。このような分離検知機構によって不正が行われた場合の痕跡を容易に視認することができ、不正行為を抑制することが可能である。
【００７７】
遊技制御基板５０と演出制御基板７０とはハーネス１１７によって電気的に接続される。なお、ハーネス１１７は透明なカバー等で覆うことができる。カバーで覆うことによりハーネス１１７を保護し、ハーネス１１７への容易なアクセスを防止して不正行為を抑制する効果がある。また、カバーを透明にすれば不正が行われた場合の痕跡を視認することが容易になるため、不正行為を抑制する効果がある。リール収容ケース１１０の上部には第１接続端子１１８が配置される。
【００７８】
ボディ部１００にはリール収容ケース１１０が格納される場所にガイド部材１２０を有する。ガイド部材１２０は底面１２１の側辺にガイド壁１２１ａおよび１２１ｂを有し、リール収容ケース１１０が装着される場合にはこのガイド壁１２１ａおよび１２１ｂに沿って、図中一点鎖線に沿う方向（第１方向）にリール収容ケース１１０が挿入される。また、ガイド壁１２１ａおよび１２１ｂに沿ってリール収容ケース１１０が挿入されたとき、第１接続端子１１８の位置する場所に、第１接続端子１１８に適合する第１適合接続端子１２２が配置されている。すなわち、本実施の形態の遊技装置では、リール収容ケース１１０がガイド部材１２０に導かれて装着された場合には同時に第１接続端子１１８と第１適合接続端子１２２とが接続されるプラグイン方式を実現する。このようなプラグイン方式は、リール収容ケース１１０の組み立ておよび交換作業を簡単にする効果がある。
【００７９】
なお、リール収容ケース１１０が所定の位置に装着されたときには、止めネジ１２３でリール収容ケース１１０をガイド部材１２０に固着する。このとき止めネジ１２３はカシメネジあるいは２頭ネジとして容易に取り外しできないようにすることができる。これによりリール収容ケース１１０ごと改変したリール収容ケースに交換してしまうような不正を防止または抑制できる。あるいは止めネジ１２３を非破壊ではアクセスできないようなケースで覆う機構や剥がすと痕跡が残る形状の封印シール等の分離検知機構で保護することも可能である。
【００８０】
ガイド部材１２０の底面には、第１方向とは異なる図中矢印１２４の方向（第２方向）にガイド部材全体を移動させる移動機構１２５を有する。このような移動機構１２５を用いれば、リール位置がドア部の窓に対して相対的にずれていても適切な位置への位置合わせが容易になる。位置合わせが終了すれば、止めネジ１２６によってリール収容ケース１１０の第２方向の位置を固定することができる。
【００８１】
このような遊技装置によれば、リール収容ケース１１０に配置された部材による機能は、図２に示す機能のうち一点鎖線８０で囲んだ部分に限られる。遊技装置を新機種として更新する場合には、新機種に対応するプログラム、データ、リール図柄を有する新たなリール収容ケース１１０に交換するのみで新機種が実現できる。また本実施の形態の場合、リール収容ケース１１０は第１接続端子１１８とそれに適合する第１適合接続端子１２２によってプラグイン接続される。この操作はリール収容ケース１１０をガイド部材１２０に沿ってボディ部１００に装着するのみで実現でき、極めて簡便に機種への更新の操作を完了できる。さらに、本実施の形態ではガイド部材１２０に移動機構１２５を有する。このため、ドア部の窓に対する相対的な位置合わせが容易になる。この点も機種更新作業の能率を高めることに寄与する。
【００８２】
なお、本実施の形態の遊技装置では、ハーネスを用いてリール収容ケース１１０とボディ部１００とを接続しない。このためハーネスに対する不正行為を働き得ず、耐不正行為性の高い構造であるといえる。また、リール収容ケース１１０とボディ部１００との電気的な接続位置（リール収容ケース１１０が装着された状態における第１接続端子および第１適合接続端子の位置）は装置の奥に位置する。このため電気的な接続位置への不正を行うには困難性があり、不正行為を行い難い遊技装置を提供できる。
【００８３】
上記した本実施の形態の遊技装置では、３つのリール３５，３６，３７を一体としてリール収容ケース１１０に配置した例を説明した。しかし、図５に示すように単一のリールについてリールユニット２００を構成し、このリールユニット２００をリール収容ケース２１０に挿入・配置することも可能である。リールユニット２００にはユニットケース２０１を有し、このユニットケース２０１にモータ１１２およびバックライト１１４が固定される。モータ１１２の回転軸にたとえばリール３７が配置される。図柄センサ１１３はバックライト１１４に固定されているが、ユニットケース２０１に固定されても良い。そしてユニットケース２０１には第２接続端子２０２が備えられる。一方リール収容ケース２１０には第２接続端子２０２に適合する第２適合接続端子２１１が備えられる。第２適合接続端子２１１からの配線２１２は第１基板ケース内の遊技制御基板に接続される。このようなリールユニット２００は、リール収容ケース２１０の所定の位置に装着されると同時に第２接続端子２０２と第２適合接続端子２１１とが接続されるプラグイン方式を実現する。これにより単一リールユニットごとにリール交換が可能であり、リールが故障した際の交換部品を極力少なくすることができる。また、プラグイン方式で装着できるため組み立ておよび交換作業が簡便に行える。
【００８４】
また、上記した実施の形態では、遊技制御基板５０と演出制御基板７０とがハーネス１１７で接続された例を説明した。しかし、たとえば図６に示すように遊技制御基板５０に取り付けられた第３接続端子３００と演出制御基板７０に取り付けられたと第３適合接続端子３０１とで、遊技制御基板５０および演出制御基板７０を接続することができる。すなわちハーネスを用いずに接続することができる。なお、第３適合接続端子３０１は第３接続端子３００に適合する。また、図６において左側は接続前の状態を右側は接続後の状態を示す。このような場合、ハーネスを用いないため、ハーネスを対象とした不正行為を働きえず、耐不正行為性に優れた構造を提供できる。なお、図６に示す例示では、遊技制御基板５０と演出制御基板７０は互いにほぼ直交する位置関係にある。このような位置関係は図４に示すようにリール収容ケース１１０の上面および側面に各々基板を配置する場合に都合がよい。尤も、図７に示すように遊技制御基板５０と演出制御基板７０とが平行な位置関係にある場合も第３接続端子３００および第３適合接続端子３０１で両基板を接続できる。図７も同様に左側は接続前の状態を右側は接続後の状態を示す。
【００８５】
また、前記実施の形態では、遊技制御基板５０および演出制御基板７０が液晶表示装置１の駆動回路７３を含めてリール収容ケース１１０に配置される例を説明した。しかし、新機種への対応がソフトウェアの変更とリールに配置する図柄の変更だけで済む場合には、リール収容ケース１１０に配置する制御基板に関する部品を極めて少なくすることができる。すなわち、遊技制御基板５０を制御するためのプログラムとゲームの実行に必要なデータを記録したＲＯＭ４０１と、演出制御基板７０で用いる画像・音声データおよびプログラムを記録したＲＯＭ４０２とをリール収容ケース１１０に配置すれば良い。つまり、リール収容ケース１１０に配置される部品は、図８に示す一点鎖線４００で囲んだ機能に係る部品だけでよい。このような場合、交換対象の部品を極力少なくすることができ、他の部品を極めて有効に活用することが可能となる。なお、ＲＯＭ４０１に記録されているプログラムおよびデータは、たとえば入力ポート５２を介してＲＡＭ５５にダウンロードすることができる。このダウンロードはＣＰＵ５１によって処理される。また、ＲＯＭ４０２に記録されているプログラムおよびデータは、たとえば入力ポート４０３を介してＲＡＭ７８にダウンロードすることができる。このダウンロードはＣＰＵ７２によって処理される。
【００８６】
なお、新機種への変更には、パネルについても変更が必要な場合が多い。前記説明においてはパネルの変更については説明を省略した。
【００８７】
以上、本発明者によってなされた発明を発明の実施の形態に基づき具体的に説明したが、本発明は前記実施の形態に限定されるものではなく、その要旨を逸脱しない範囲で種々変更することが可能である。
【発明の効果】
本発明によれば、再利用可能な部品を有効に活用し、かつ、遊技装置を簡便に新たな機能（ゲーム性）が導入された新機種に変更することができる。また、そのような遊技装置のセキュリティ機能を効果的に向上できる。
【図面の簡単な説明】
【図１】本発明の一実施の形態である遊技装置の一例を示した正面図である。
【図２】本実施の形態の遊技装置の構造の一例をその機能について示したブロック図である。
【図３】本実施の形態の遊技装置内部の概要を示した斜視図である。
【図４】リール収容ケース１１０と、それが取り外されている場合のボディ部１００の一例を示した斜視図である。
【図５】単一のリールについてリールユニットを構成した場合の一例を示した側面図である。
【図６】遊技制御基板５０と演出制御基板７０との接続方式の一例を示した側面図である。
【図７】遊技制御基板５０と演出制御基板７０との接続方式の他の例を示した側面図である。
【図８】本実施の形態の遊技装置の構造の他の例をその機能について示したブロック図である。
【符号の説明】
１…液晶表示装置、２…ランプ、３…スピーカ、４…スピーカ、５…ランプ、７…１メダルランプ、８…２メダルランプ、９…３メダルランプ、１０…スタートランプ、１１…リプレイ賞入賞表示ランプ、１２…入賞表示ランプ、１３…打ち止め表示ランプ、１４…ＢＢゲーム中表示ランプ、１５…ＲＢゲーム中表示ランプ、１６…メダル投入可能表示ランプ、１７…１枚ベットボタン、１８…２枚ベットボタン、１９…クレジット精算ボタン、２０…３枚ベットボタン、２１…遊技メダル返却ボタン、２２…遊技メダル投入口、２３…ドアキー、２４…スタートレバー、２５…クレジット枚数表示機、２６…ボーナスカウント表示機、２７…メダル配当表示機、２８…ストップボタン、３２…スピーカ３３…遊技メダル払出口、３４…受け皿、３５…リール、３６…リール、３７…リール、５０…遊技制御基板、５１…ＣＰＵ、５２…入力ポート、５３…クロック発生回路、５４…ＲＯＭ、５５…ＲＡＭ、５６…乱数発生回路、５７…出力ポート、５８…出力ポート、５９…データ送出回路、６０…送出タイミング制御回路、６１…リセットスイッチ、６２…メダル投入センサ、６３…メダル払出センサ、６４…メダル満杯センサ、６５…位置検出センサ、６６…ドアセンサ、６７…リール駆動モータ、６８…メダル払出モータ、６９…メダルブロッカソレノイド、７０…演出制御基板、７２…ＣＰＵ、７３…液晶表示装置駆動回路、７４…画像・プログラムＲＯＭ、７５…データ入力回路、７６…クロック発生回路、７７…ランプ駆動回路、７８…ＲＡＭ、７９…サウンドＬＳＩ、８０…アンプ回路、８１…音声ＲＯＭ、８２…段階設定キースイッチ、８５…音量調節回路、１００…ボディ部、１１０…リール収容ケース、１１１…外壁部材、１１２…モータ、１１３…図柄センサ、１１４…バックライト、１１５…第１基板収容ケース、１１６…第２基板収容ケース、１１７…ハーネス、１１８…第１接続端子、１２０…ガイド部材、１２１…底面、１２１ａ，１２１ｂ…ガイド壁、１２２…第１適合接続端子、１２３…止めネジ、１２４…矢印、１２５…移動機構、１２６…止めネジ、１５０…電源・モード設定装置、１６０…メダル払出装置、２００…リールユニット、２０１…ユニットケース、２０２…第２接続端子、２１０…リール収容ケース、２１１…第２適合接続端子、２１２…配線、３００…第３接続端子、３０１…第３適合接続端子、４０１，４０２…ＲＯＭ。
【図１】
2004073276.tif 000003
【図２】
2004073276.tif 000004
【図３】
2004073276.tif 000005
【図４】
2004073276.tif 000006
【図５】
2004073276.tif 000007
【図６】
2004073276.tif 000008
【図７】
2004073276.tif 000009
【図８】
2004073276.tif 000010